(57)【要約】【課題】ユーザーが所望の放送局を迅速に選局することができるラジオ放送受信機、及び、放送局リスト表示方法を提供する。【解決手段】アナログラジオ放送局と、ＨＤラジオ放送局と、からの放送電波を受信するラジオ放送受信機であって、受信可能な放送局を検索し、当該放送局のうち、アナログラジオ放送局をＨＤラジオ放送局と区別してリスト表示可能とした。【選択図】図３
2013038527.tif 000002
【特許請求の範囲】
【請求項１】
アナログラジオ放送局と、ＨＤラジオ放送局と、からの放送電波を受信するラジオ放送受信機であって、
受信可能な放送局を検索し、当該放送局のうち、アナログラジオ放送局をＨＤラジオ放送局と区別してリスト表示可能としたことを特徴とするラジオ放送受信機。
【請求項２】
請求項１に記載のラジオ放送受信機であって、
受信可能な放送局を検索してリスト化するステーションリスト作成手段と、
当該放送局がアナログラジオ放送局か、或いは、ＨＤラジオ放送局か、を判定する放送局判定手段と、を備え、
アナログラジオ放送局のリストと、ＨＤラジオ放送局のリストと、を区別してリスト表示可能としたことを特徴とするラジオ放送受信機。
【請求項３】
請求項１または２に記載のラジオ放送受信機であって、
受信した電波の電解強度に基づいて、受信可能な放送局を検索することを特徴とするラジオ放送受信機。
【請求項４】
請求項２または３に記載のラジオ放送受信機であって、
前記ステーションリスト作成手段は、ラジオ放送の下限周波数と上限周波数の間の受信電界強度の強い放送局を周波数順に検索して、前記アナログラジオ放送局のリスト、或いは、ＨＤラジオ放送局のリストを作成することを特徴とするラジオ放送受信機。
【請求項５】
請求項２乃至４のいずれかに記載のラジオ放送受信機であって、
前記放送局判定手段は、放送局からの受信信号の伝送方式、符号化方式、或いは、データ放送の有無に基づいて、当該放送局がＨＤラジオ放送局か否かを判定することを特徴とするラジオ放送受信機。
【請求項６】
アナログラジオ放送局と、ＨＤラジオ放送局と、からの放送電波を受信するラジオ放送受信機の放送局リスト表示方法であって、
受信可能な放送局を検索し、当該放送局のうち、アナログラジオ放送局をＨＤラジオ放送局と区別してリスト表示可能としたことを特徴とするラジオ放送受信機の放送局リスト表示方法。
【発明の詳細な説明】
【技術分野】
【０００１】
本発明は、アナログラジオ放送と、ＩＢＯＣ方式を用いたＨＤラジオ放送と、を受信するとともに、受信可能な放送局のリストを表示するラジオ放送受信機、及び、放送局のリスト表示方法に関する。
【背景技術】
【０００２】
近年、ｉＢｉｑｕｉｔｙ社が手掛けたＩＢＯＣ（Ｉｎ−Ｂａｎｄ  Ｏｎ−Ｃｈａｎｎｅｌ）方式を用いたラジオ放送であるＨＤラジオ（Ｈｙｂｒｉｄ  Ｄｉｇｉｔａｌ  Ｒａｄｉｏ）の実用化が進んでいる。ＨＤラジオは、既存のＡＭ／ＦＭアナログラジオの周波数を利用して、アナログ放送と同時にデジタル放送を行うものである。ＨＤラジオ受信機は、従来のラジオ受信機と同様に、周波数順に電界強度の強い放送局をリスト化して表示し、表示されたリストの中からユーザーが選択した放送局を選局可能に構成されている（例えば、特許文献１参照）。
【先行技術文献】
【特許文献】
【０００３】
【特許文献１】特開２０１０−０１１１４７号公報
【発明の概要】
【発明が解決しようとする課題】
【０００４】
しかしながら、ＨＤラジオ受信機で生成される放送局のリストは、アナログラジオ放送と、当該アナログラジオ放送の周波数を利用したデジタルラジオ放送とが混在したリストとなる。そのため、放送局を選局するさいに、ユーザーは、表示されたリストの中の放送局がアナログラジオ放送かデジタルラジオ放送かを判断して選局する必要があり、所望の放送局を迅速に選局することができなかった。
本発明は、上述した従来の技術が有する課題を解消し、ユーザーが所望の放送局を迅速に選局することができるラジオ放送受信機、及び、放送局リスト表示方法を提供することを目的とする。
【課題を解決するための手段】
【０００５】
上記目的を達成するために、本発明は、アナログラジオ放送局と、ＨＤラジオ放送局と、からの放送電波を受信するラジオ放送受信機であって、受信可能な放送局を検索し、当該放送局のうち、アナログラジオ放送局をＨＤラジオ放送局と区別してリスト表示可能としたことを特徴とする。
【０００６】
また、本発明は、受信可能な放送局を検索してリスト化するステーションリスト作成手段と、当該放送局がアナログラジオ放送局か、或いは、ＨＤラジオ放送局か、を判定する放送局判定手段と、を備え、アナログラジオ放送局のリストと、ＨＤラジオ放送局のリストと、を区別してリスト表示可能としたことを特徴とする。
【０００７】
また、本発明は、受信した電波の電解強度に基づいて、受信可能な放送局を検索することを特徴とする。
【０００８】
また、本発明は、前記ステーションリスト作成手段は、ラジオ放送の下限周波数と上限周波数の間の受信電界強度の強い放送局を周波数順に検索して、前記アナログラジオ放送局のリスト、或いは、ＨＤラジオ放送局のリストを作成することを特徴とする。
【０００９】
また、本発明は、前記放送局判定手段は、放送局からの受信信号の伝送方式、符号化方式、或いは、データ放送の有無に基づいて、当該放送局がＨＤラジオ放送局か否かを判定することを特徴とする。
【００１０】
また、本発明は、アナログラジオ放送局と、ＨＤラジオ放送局と、からの放送電波を受信するラジオ放送受信機の放送局リスト表示方法であって、受信可能な放送局を検索し、当該放送局のうち、アナログラジオ放送局をＨＤラジオ放送局と区別してリスト表示可能としたことを特徴とする。
【発明の効果】
【００１１】
本発明によれば、受信可能な放送局のうち、アナログラジオ放送局をＨＤラジオ放送局と区別してリスト表示可能としたため、アナログ放送のみを行っている放送局のリストに、アナログ放送と同時にデジタル放送を並行して行うハイブリッド局が混じることがなく、ユーザーは、表示された放送局のリストを見て、所望の放送局を迅速に選局することができる。
【図面の簡単な説明】
【００１２】
【図１】本発明の実施形態に係るラジオ放送受信装置の機能的構成を示すブロック図である。
【図２】ラジオ放送受信装置の表示例を示す図である。
【図３】ラジオ放送受信装置の動作を示すフローチャートである。
【図４】ラジオ放送受信装置の動作を示すフローチャートである。
【図５】放送局リストの表示例を示す図である。
【発明を実施するための形態】
【００１３】
以下、図面を参照して本発明の実施形態について説明する。
図１は、本発明を適用した実施形態に係るラジオ放送受信機１の機能的構成を示すブロック図である。ラジオ放送受信機１は車両に搭載され、ラジオ放送局が、既存のＡＭ／ＦＭアナログラジオの周波数を利用して、アナログ放送と同時にデジタル放送を並行して行う地上デジタルラジオ放送（ＨＤ−Ｒａｄｉｏ）を受信し、受信したラジオ放送を出力する装置である。ＨＤ−Ｒａｄｉｏは、ラジオ放送局が既に割り当てられている既存のアナログ放送の周波数帯を用いて、所定の伝送符号化方式（ＩＢＯＣ方式）に基づいて、放送すべき音声を符号化してデジタルラジオ放送に係る放送信号を生成し送信するラジオ放送である。
【００１４】
図１に示すように、ラジオ放送受信機１は、システムマスター１０と、入力部１１と、表示部１２と、チューナー部１３と、オーディオハブユニット（ＡＨＵ）１４と、を備える。本実施形態の一例として、ラジオ放送受信機１は、システムマスター１０、入力部１１、表示部１２を備えた車載オーディオシステムやカーナビゲーションシステムと、チューナー部１３と、をオーディオハブユニット１４で繋いで構成されていても良い。
【００１５】
システムマスター１０は、ラジオ放送受信機１の各部を中枢的に制御するものであり、演算実行部としてのＣＰＵや、このＣＰＵに実行される基本制御プログラムをコンピューターに読み取り可能な形態で不揮発的に記憶するＲＯＭや、ＣＰＵに実行されるプログラム、及び、このプログラムに係るデータ等を一時的に記憶するＲＡＭや、その他の周編回路等を備えている。また、システムマスター１０は、受信したラジオ放送がアナログ放送のみを行うアナログラジオ放送局か、或いは、アナログ放送と同時にデジタル信号を伝送することでアナログ放送と同時にデジタル放送を並行して行うＨＤラジオ放送局かを判定する放送局判定部（放送局判定手段）２９を備える。
【００１６】
入力部１１は、ラジオ放送受信機１に設けられた各種入力スイッチ２１、及び、後述する表示部１２の表示パネル２３に重ねて配設されたタッチパネル２２を備え、この入力スイッチ２１に対するユーザーの操作、或いは、タッチパネル２２に対するユーザーのタッチ操作を検出し、操作信号としてシステムマスター１０に出力する。ユーザーは、入力スイッチ２１、或いは、タッチパネル２２に対する操作を行うことで、デジタルラジオ放送、或いは、アナログラジオ放送のいずれかのラジオ放送を受信するかを選択でき、且つ、受信すべきラジオ放送のチャンネルを選択することができる。
【００１７】
表示部１２は、液晶表示パネル等の表示パネル２３を備え、システムマスター１０の制御の下、表示パネル２３に、文字画像や、操作メニュー等の各種情報を表示する。表示パネル２３には、受信可能なラジオ放送のリストが表示される。ここで、受信可能なラジオ放送とは、ラジオ放送の受信強度が予め定められている閾値を上回っているラジオ放送のことである。表示パネル２３には、また、デジタルラジオ放送、或いは、アナログラジオ放送のいずれのラジオ放送を受信しているのかを示す情報が表示されると共に、選択中のチャンネルを示す情報が表示される。
【００１８】
チューナー部１３は、受信したラジオ放送の受信に係る各種処理を行うものであり、デジタルラジオ放送、或いは、アナログ放送の周波数に同調し放送信号を受信する同調回路と、アンテナ２４を介して受信した放送信号を音声信号に復調する復調回路と、を備える。チューナー部１３は、図示は省略するが、デジタルチューナー、及び、アナログチューナーを備える。ＨＤ−Ｒａｄｉｏにおいて、デジタルラジオ放送は伝送信号が符号化されているため、ユーザーによって選択されたチャンネルがデジタル放送のチャンネルの場合には、チューナー部１３は、デジタルチューナーを制御し、選択されたチャンネルに係るデジタルラジオ放送の放送信号をデコード処理して受信・復調し、アナログ変換して信号処理部１５に出力する。
チューナー部１３には、信号処理部１５が接続される。信号処理部１５は、チューナー部１３から入力される音声信号の出力レベルの調整、周波数特性の調整、及び、増幅を行い、スピーカー１６に出力する。スピーカー１６に入力された音声信号は、音声に変換されて車両内に出力される。
【００１９】
オーディオハブユニット１４は、システムマスター１０、入力部１１、表示部１２を備えた車載オーディオシステム／カーナビゲーションシステムと、ＨＤ−Ｒａｄｉｏ放送の放送信号を受信・復調し出力するチューナー部１３とを繋ぐ機能を備えるものである。オーディオハブユニット１４は、ラジオ放送受信機１において、システムマスター１０のスレーブとして用いられ、システムマスター１０から入力される制御信号に基づいて、チューナー部１３を制御する。
【００２０】
オーディオハブユニット１４と、システムマスター１０と、の間のデータ送信は、ＣＡＮ（Ｃｏｎｔｒｏｌｌｅｒ  Ａｒｅａ  Ｎｅｔｗｏｒｋ）通信を用いて行われる。オーディオハブユニット１４と、チューナー部１３と、の間のデータ送信は、Ｉ２Ｃ（Ｉｎｔｅｒ−Ｉｎｔｅｇｒａｔｅｄ  Ｃｉｒｃｕｉｔ）通信を用いて行われる。オーディオハブユニット１４は、ＣＡＮ通信を通じて、オーディオハブユニット１４に接続されたチューナー部１３の制御信号をシステムマスター１０から受信し、この制御信号に基づいて、チューナー部１３を制御し、入力部１１を介してユーザーに選択されたラジオ放送のチャンネルに対応する周波数のラジオ放送をチューナー部１３で受信する。
【００２１】
ラジオ放送受信機１は、受信可能なラジオ放送を検索してリスト化するステーションリスト機能を備える。ステーションリスト機能は、システムマスター１０によって実行される。つまりシステムマスター１０は、ステーションリスト作成部（ステーションリスト作成手段）としての役割を果たし、ユーザーによって入力部１１を介してステーションリスト機能が実行されると、ラジオ放送受信機１は、システムマスター１０において、ユーザー操作に応じた、ＡＭアナログ放送、ＦＭアナログ放送、ＡＭデジタル放送、或いは、ＦＭデジタル放送の下限周波数と上限周波数の間の電界強度の強い放送局を周波数順に検索して、受信可能な放送局のリストであるステーションリストを作成する。作成されたステーションリストは、表示部１２の表示パネル２３に表示される。
【００２２】
入力部１１を介して、ステーションリスト機能を実行する操作をユーザーが行った場合には、図２に示すように、表示パネル２３に選択メニューが表示される。表示パネル２３には、ステーションリスト機能で作成可能なリストに対応するアイコン２５，２６，２７，２８が表示される。ラジオ放送受信機１は、ユーザーによるタッチパネル２２へのタッチ操作された位置に基づいてＡＭアナログリスト、ＦＭアナログリスト、ＡＭデジタルリスト、或いは、ＦＭデジタルリストのいずれかを作成し、表示パネル２３に表示する。
【００２３】
次にユーザーがステーションリスト機能を実行した際のラジオ放送受信機１の動作について説明する。
図３は、ユーザーがＡＭ、或いは、ＦＭのいずれかのアナログステーションリストを作成する操作を行った場合のラジオ放送受信機１の動作を示すフローチャートである。システムマスター１０は、まず、アナログステーションリストが選択されたか否かを判定し（ステップＳ１）、アナログステーションリストが選択された（ステップＳ１：ＹＥＳ）と判定した場合には、次に、ＡＭ、或いは、ＦＭのいずれか選択された方のラジオ放送の下限周波数から上限周波数までの間の電界強度の強い放送局のサーチを下限周波数から順に開始する（ステップＳ１１）。
【００２４】
システムマスター１０は、オーディオハブユニット１４を介してチューナー部１３から入力されるアンテナ２４の出力電圧に基づいて、現在同調している周波数の電界強度を算出し、この電界強度が予め定められた所定値以上であるかを判定する（ステップＳ１２）。電界強度が所定値以上ではない場合（ステップＳ１２：Ｎｏ）、システムマスター１０は、受信周波数が上限周波数であるか否かを判定する（ステップＳ１５）。ステップＳ１５において、受信周波数が上限周波数ではないと判定した場合には（ステップＳ１５：Ｎｏ）、システムマスター１０は、オーディオハブユニット１４を介してチューナー部１３を制御し、前受信周波数から１ステップ分（例えば、ＦＭ放送の場合には０．１ＭＨｚ）アップした受信周波数を設定し（ステップＳ１７）、再び、当該受信周波数の電界強度が予め定められた所定値以上であるかを判定する（ステップＳ１２）。
【００２５】
受信周波数の電界強度が所定値以上であると判定した場合には（ステップＳ１２：Ｙｅｓ）、当該周波数は有局であり、システムマスター１０は、続いて、チューナー部１３から取得する情報に基づいて放送局判定部２９において、受信局は、ＨＤラジオ放送局か否かを判定する（ステップＳ１３）。放送局判定部２９は、例えば、受信信号の伝送方式、符号化方式、データ放送の有無等の情報から、受信局がＨＤラジオ放送局か否かを判定する。
放送局判定部２９において、受信局がＨＤラジオ放送局であると判定された場合には（ステップＳ１３：Ｙｅｓ）、システムマスター１０は、続いて、受信周波数が上限周波数であるか否かを判定する（ステップＳ１５）。
【００２６】
システムマスター１０は、ステップＳ１３において、受信局は、ＨＤラジオ放送局ではないと判定すると（ステップＳ１３：Ｎｏ）、受信周波数をアナログステーションリストに追加して（ステップＳ１４）、その後、受信周波数が上限周波数であるか否かを判定する（ステップＳ１５）。ステップＳ１５において、受信周波数が上限周波数ではないと判定した場合には（ステップＳ１５：Ｎｏ）、システムマスター１０は、オーディオハブユニット１４を介してチューナー部１３を制御し、前受信周波数から１ステップ分（例えば、ＦＭ放送の場合には０．１ＭＨｚ）アップした受信周波数を設定し（ステップＳ１７）、再び、当該受信周波数の電界強度が予め定められた所定値以上であるかを判定する（ステップＳ１２）。
【００２７】
このようにして、システムマスター１０は、ユーザーがＡＭ、或いは、ＦＭのいずれかのアナログステーションリストを作成する操作を行った場合には、ＡＭ、或いは、ＦＭのいずれか選択された方のラジオ放送の下限周波数から上限周波数までの間の電界強度の強い放送局を下限周波数から順にサーチし、アナログ放送のみを行っているアナログラジオ放送局の周波数をアナログステーションリストに追加する。そして、受信周波数が上限周波数であると判定した場合に（ステップＳ１５：Ｙｅｓ）、システムマスターは、アナログステーションリストを表示部１２に出力し、表示パネル２３に表示する（ステップＳ１６）。
【００２８】
この構成によれば、アナログ放送と同時にデジタル放送を並行して行うＨＤラジオ放送局（ハイブリッド局）はアナログステーションリストの検索対象とはならず、アナログラジオ放送局のステーションリストを検索する際には、アナログ放送のみを行っている放送局の周波数がリスト化されて表示される。これにより、アナログ放送のみを行っているアナログラジオ放送局と、アナログ放送及びデジタル放送を同時に行っているハイブリッド局と、を区別してリスト表示することができるため、ユーザーは、表示された放送局のリストを見て、ユーザーが所望の放送局を迅速に選局することができようになり、ラジオ放送受信機１の使い勝手が向上する。
【００２９】
一方、ステップＳ１において、アナログステーションリストが選択されなかったと判定した場合には（ステップＳ１：Ｎｏ）、システムマスター１０は、ＡＭ、或いは、ＦＭのいずれか選択された方のラジオ放送の下限周波数から上限周波数までの間の電界強度の強い放送局のサーチを下限周波数から順に開始し、デジタル放送局の周波数をリスト化する（ステップＳ２０）。
次に、図４を用いて、ステップＳ１において、アナログステーションリストが選択されなかった場合のラジオ放送受信機１の動作を詳述する。
【００３０】
ステップＳ１において、アナログステーションリストが選択されなかったと判定した場合には（ステップＳ１：Ｎｏ）、システムマスター１０は、ＡＭ、或いは、ＦＭのいずれか選択された方のラジオ放送の下限周波数から上限周波数までの間の電界強度の強い放送局のサーチを下限周波数から順に開始する（ステップＳ２１）。
【００３１】
システムマスター１０は、オーディオハブユニット１４を介してチューナー部１３から入力されるアンテナ２４の出力電圧に基づいて、現在同調している周波数の電界強度を算出し、この電界強度が予め定められた所定値以上であるかを判定する（ステップＳ２２）。電界強度が所定値以上ではない場合（ステップＳ２２：Ｎｏ）、システムマスター１０は、受信周波数が上限周波数であるか否かを判定する（ステップＳ２５）。ステップＳ２５において、受信周波数が上限周波数ではないと判定した場合には（ステップＳ２５：Ｎｏ）、システムマスター１０は、オーディオハブユニット１４を介してチューナー部１３を制御し、前受信周波数から１ステップ分（例えば、ＦＭ放送の場合には０．１ＭＨｚ）アップした受信周波数を設定し（ステップＳ２７）、再び、当該受信周波数の電界強度が予め定められた所定値以上であるかを判定する（ステップＳ２２）。
【００３２】
受信周波数の電界強度が所定値以上であると判定した場合には（ステップＳ２２：Ｙｅｓ）、当該周波数は有局であり、システムマスター１０は、続いて、チューナー部１３から取得する情報に基づいて放送局判定部２９において、受信局は、デジタル放送局（ＨＤ局）か否かを判定する（ステップＳ２３）。放送局判定部２９は、例えば、受信信号の伝送方式、符号化方式、データ放送の有無等の情報から、受信局がデジタル放送局か否かを判定する。
放送局判定部２９において、受信局がＨＤラジオ放送局ではないと判定された場合には（ステップＳ２３：Ｎｏ）、システムマスター１０は、続いて、受信周波数が上限周波数であるか否かを判定する（ステップＳ２５）。
【００３３】
システムマスター１０は、ステップＳ２３において、受信局は、デジタル放送局である判定すると（ステップＳ２３：Ｙｅｓ）、受信周波数をデジタルステーションリストに追加して（ステップＳ２４）、その後、受信周波数が上限周波数であるか否かを判定する（ステップＳ２５）。ステップＳ２５において、受信周波数が上限周波数ではないと判定した場合には（ステップＳ２５：Ｎｏ）、システムマスター１０は、オーディオハブユニット１４を介してチューナー部１３を制御し、前受信周波数から１ステップ分（例えば、ＦＭ放送の場合には０．１ＭＨｚ）アップした受信周波数を設定し（ステップＳ２７）、再び、当該受信周波数の電界強度が予め定められた所定値以上であるかを判定する（ステップＳ２２）。
【００３４】
このようにして、システムマスター１０は、ユーザーがＡＭ、或いは、ＦＭのいずれかのデジタルステーションリストを作成する操作を行った場合には、ＡＭ、或いは、ＦＭのいずれか選択された方のラジオ放送の下限周波数から上限周波数までの間の電界強度の強い放送局を下限周波数から順にサーチし、デジタル放送を行っている放送局の周波数をデジタルステーションリストに追加する。そして、受信周波数が上限周波数であると判定した場合に（ステップＳ２５：Ｙｅｓ）、システムマスターは、デジタルステーションリストを表示部１２に出力し、表示パネル２３に表示する（ステップＳ２６）。
【００３５】
図５は、ラジオ放送受信機１に表示されるステーションリストを示す図である。図５（Ａ）は、下限周波数から上限周波数の間に存在する受信強度が強い放送局の例を示す図である。このように、下限周波数から上限周波数の間にアナログ放送と同時にデジタル放送を並行して行うハイブリッド局、或いは、アナログ放送のみを行う放送局が複数存在する場合に、ユーザーがデジタルステーションリストを選択すると、表示パネル２３には、図５（Ｂ）に示されるように、アナログ放送と同時にデジタル放送を並行して行うハイブリッド局の周波数がリスト化されて表示される。一方、ユーザーがアナログステーションリストを選択すると、表示パネル２３には、図５（Ｃ）に示されるように、アナログ放送のみを行っている放送局の周波数がリスト化されて表示される。これにより、アナログステーションリストに、ハイブリッド局の周波数が混ざる事がなく、アナログラジオ放送局と、デジタル放送局とを区別してリスト表示することができるため、ユーザーは、表示された放送局のリストを見て、所望の放送局を迅速に選局することができるようになり、ラジオ放送受信機１の使い勝手が向上する。
【符号の説明】
【００３６】
１  ラジオ放送受信機
１０  システムマスター（ステーションリスト作成手段）
１２  表示部
１３  チューナー部
２９  放送局判定部
【図１】
2013038527.tif 000003
【図２】
2013038527.tif 000004
【図３】
2013038527.tif 000005
【図４】
2013038527.tif 000006
【図５】
2013038527.tif 000007